(57)【要約】【課題】  扉開放ゴトを効果的に防止できるとともに、構成が容易でセキュリティー性能の高い遊技機用施錠装置を提供すること。【解決手段】  錠体(70)に、複数の発光体(81a,81b,81c)と複数の受光体(82a,82b,82c)を設け、鍵体(7)の差し込み部(7A)には、鍵体を鍵挿入部(76)内の予め定められた開錠位置まで挿入したときに、前記複数の発光体のうち少なくとも一の発光体の光を透過可能であり、かつ前記複数の発光体の全ての光を同時に透過させることのない透光部(84)が設けられ、制御部(100)は、前記鍵体が前記鍵挿入部内の予め定められた開錠位置まで挿入された状態で、前記受光体が前記透光部を透過した光を検知した受光検知パターンが、予め定められた受光パターンと一致している場合には、ロック解除装置(90)を作動させる。【選択図】    図１
2006212237.tif 000002
【特許請求の範囲】
【請求項１】
鍵挿入部を有する錠体と、前記鍵挿入部に挿入される鍵体とから構成される鍵錠装置であって、
前記錠体には、複数の発光体と、これらの発光体の発光をそれぞれ検知する複数の受光体が、前記鍵挿入部を挟んで鍵体の挿入方向と交差する方向に相対向して設けられているとともに、前記発光体から前記受光体に連通する光通路が形成され、
前記鍵体の差し込み部には、鍵体を前記鍵挿入部内の予め定められた開錠位置まで挿入したときに、前記複数の発光体のうち少なくとも一の発光体の光を透過可能であり、かつ
前記複数の発光体の全ての光を同時に透過させることのない透光部が設けられ、
前記複数の発光体のうちいずれの発光体を発光させるかを予め定めた発光パターンと、前記複数の受光体のうちいずれの受光体の検知を開錠のために有効な検知として取り扱うかを予め定めた受光パターンとを記憶する制御部と、
前記錠体の施錠状態を解除するためのロック解除装置とを備え、
前記制御部は、前記鍵体が前記鍵挿入部内の予め定められた開錠位置まで挿入された状態で、前記受光体が前記透光部を透過した光を検知した受光検知パターンが、予め定められた受光パターンと一致している場合には、前記ロック解除装置を作動させることを特徴とする鍵錠装置。
【請求項２】
前記錠体は、前記鍵挿入部に挿入した鍵体を回転させることにより開錠状態となるように形成されており、
前記ロック解除装置は、施錠時には前記鍵挿入部に挿入した鍵体の回転を阻止しており、前記制御部の制御で作動することにより前記鍵体の回転阻止を解除することを特徴とする請求項１記載の鍵錠装置。
【請求項３】
前記制御部に記憶される発光パターン及び受光パターンを変更可能に形成し、
変更された発光パターン及び／又は受光パターンに応じて、当該受光パターンに適合する態様の透光部を有する鍵体を使い分け可能に形成したことを特徴とする請求項１又は２記載の鍵錠装置。
【発明の詳細な説明】
【技術分野】
【０００１】
この発明は、遊技機の扉に用いられる鍵錠装置であって、発光受光パターンにより開錠する施錠装置に関するものである。
【背景技術】
【０００２】
従来より、スロットマシンなどの遊技機においては、前扉を開けるための鍵を盗んだり合鍵を作るなどして、前扉を不正に開放し、内部の制御基板や設定変更装置などに不正な操作を加える、いわゆるゴトといわれる不正行為が問題となっている。このような扉開放ゴトを防止するため、第一の鍵穴と第二の鍵穴を設けそれぞれに別の鍵を挿入してロック解除するようにして、扉の開放をし難くした遊技機が考案されている（特許文献１参照）。また、異物挿入による開錠を不能とする錠鍵装置として、特許文献２に示すような、発光部と受光部との間に透孔を有する鍵を差し込むことにより、適正な鍵を検知して開錠する技術が考案されている。
【特許文献１】特開２００２−１６６０１３号公報
【特許文献２】特開２００１−３１１３３１号公報
【発明の開示】
【発明が解決しようとする課題】
【０００３】
しかし、上記した引用文献１記載の発明では、扉を開放するのに二度の開錠作業が必要で、ゴト防止には効果があるものの、扉開放に手間が掛かり、エラー解除やメンテナンス時に作業がスムーズに行い難く、錠や鍵を二種類必要とするため、コスト面や鍵の管理面でもデメリットがある。
また、引用文献２記載の発明では、全ての発光素子からの光を全ての受光素子で受光した場合にのみロックが解除されるものであるため、例えば鍵体の中央部に大きな孔を開けた鍵を用いても、全ての発光素子からの光を全ての受光素子で受光でき、ロック解除することができてしまうという問題点がある。また、鍵体にランダムに透孔を形成した場合には、それに対応するよう発光素子及び受光素子を設置しなければならず、製造が困難で手間取るという問題点もある。
【０００４】
そこで、本発明は、従来技術の有する問題点を解決すべくなされたものであり、扉開放ゴトを効果的に防止できるとともに、構成が容易でセキュリティー性能の高い遊技機用施錠装置を提供することを目的とする。
【課題を解決するための手段】
【０００５】
本願発明の特徴点を、図面に示した発明の実施の形態を用いて、以下に説明する。
なお、括弧内の符号及び図面番号は、発明の実施の形態において用いた符号及び番号を示し、本願発明の技術的範囲を限定するものではない。
（特徴点）
（請求項１）
請求項１記載の発明は、次の点を特徴とする。
すなわち、請求項１記載の発明は、鍵挿入部を有する錠体と、この鍵挿入部に挿入される鍵体とから構成される鍵錠装置に係る。
【０００６】
ここで、「錠体」とは、扉などを施錠するための装置であり、例えばシリンダー錠(70)などとすることができる。また「鍵体」とは、錠体(70)とは分離された開錠部材であり、本発明においては板状の平鍵とするのが好ましいが、これに限られない。例えば筒状の鍵体であってもよい。また、「鍵挿入部」は、前記鍵体(7)を挿入可能な孔（鍵挿入孔76）や溝とすることができる。
なお、本発明においては、鍵体(7)により錠体(70)が開錠状態になればよく、必ずしも鍵体(7)を用いて扉等を施錠するものでなくともよい。例えば、扉を閉めるとラッチ機構により自動的に施錠され、開錠の際には鍵体(7)を用いるような鍵錠装置も含む。
【０００７】
そして、前記錠体(70)には、複数の発光体(81a,81b,81c)と、これらの発光体(81a,81b,81c)の発光をそれぞれ検知する複数の受光体(82a,82b,82c)が、前記鍵挿入部(76)を挟んで鍵体(7)の挿入方向と交差する方向に相対向して設けられているとともに、前記発光体(81a,81b,81c)から前記受光体(82a,82b,82c)に連通する光通路が形成されている。また、前記鍵体(7)の差し込み部(7A)には、鍵体(7)を前記鍵挿入部(76)内の予め定められた開錠位置まで挿入したときに、前記複数の発光体(81a,81b,81c)のうち少なくとも一の発光体(81a,81b,81c)の光を透過可能であり、かつ前記複数の発光体(81a,81b,81c)の全ての光を同時に透過させることのない透光部(84)が設けられている。
【０００８】
前記「光通路」は、鍵挿入部(76)の一方側に設けてある発光体(81a,81b,81c)の光が、鍵挿入部(76)の他方側に設けてある受光体(82a,82b,82c)まで、錠体(70)などの障害物に遮られずに到達できるための光の通り道であり、孔（透光開口78）や切り欠き（透光スリット75）を含む。また光通路(75,78)は、複数の発光体、受光体に各々対応させるように複数設けてもよいし、複数の発光体、受光体が対応できる大きさのものを設けてもよい。
また、前記透光部(84)は、発光体(81a,81b,81c)の光を通過させることができる孔(85)や切り欠き(86)の他に、不透明な鍵体(7)に嵌め込み又は埋め込んだ透光部材(87)を含む。
【０００９】
ここで、「鍵挿入部(76)内の予め定められた開錠位置」とは、鍵体(7)を孔状の鍵挿入部(76)の最も奥まで挿入した位置のように、鍵体(7)を用いて錠体(70)を開錠状態とするために適切な位置である。なお、鍵挿入部(76)の所定の場所に鍵体(7)の挿入を検知するためのセンサを設け、鍵体(7)が「鍵挿入部(76)内の予め定められた開錠位置」に挿入された場合に、前記発光体(81a,81b,81c)、受光体(82a,82b,82c)が作動する（通電状態となる）ように形成すると好適である。
また、「少なくとも一の発光体(81a,81b,81c)の光を透過可能」とは、透光部(84)が全く設けられていない場合（図１(Ｃ)参照）を除く意味であり、「前記複数の発光体(81a,81b,81c)の全ての光を同時に透過させることのない」とは、全ての発光体(81a,81b,81c)に対応する透光部(84)を除く意味である。例えば発光体としてa,b,cの３個が設けられている場合には、鍵体(7)を所定位置まで挿入したときに発光体a,b,cのうちいずれか一つ又は二つに対応する透光部(84)が設けられ、発光体a,b,cの各々に対応する３個の透光部(84)や、発光体a,b,cの３個をひとまとめにして対応可能な大きな透光部(84)（図１(Ｅ)参照）が設けられることはない。
【００１０】
さらに、本発明に係る鍵錠装置は、前記複数の発光体(81a,81b,81c)のうちいずれの発光体を発光させるかを予め定めた発光パターンと、前記複数の受光体(82a,82b,82c)のうちいずれの受光体(82a,82b,82c)の検知を開錠のために有効な検知として取り扱うかを予め定めた受光パターンとを記憶する制御部（ロック制御装置100）と、前記錠体(70)の施錠状態を解除するためのロック解除装置(90)とを備えている。そして、前記制御部(100)は、前記鍵体(7)が前記鍵挿入部(76)内の予め定められた開錠位置まで挿入された状態で、前記受光体(82a,82b,82c)が前記透光部(84)を透過した光を検知した受光検知パターンが、予め定められた受光パターンと一致している場合には、前記ロック解除装置(90)を作動させることを特徴とする。
【００１１】
前記制御部(100)は、種々の電子部品を搭載した制御基板であり、鍵錠装置の内部や近傍に設けることができるが、本発明に係る鍵錠装置を遊技機の扉に使用する場合には、遊技機の制御装置に設けてもよい。
ここで、「施錠状態」とは、錠体(70)を用いた施錠対象物、例えば遊技機の前扉がロックされているときの、錠体(70)の状態である。また、前記錠体(70)は、鍵体(7)を鍵挿入部(76)に挿入することで開錠状態（施錠状態の逆）になるものと、鍵体(7)を鍵挿入部(76)に挿入したうえ所定の方向に回転させることにより開錠状態になるものの双方を含む。従って、前記ロック解除装置(90)は、前者の場合には、例えばモータの作動によりフックや凸部(74a)が移動してそれらと係合していた係合部(開口部64)との係合が解除されるものとすることができ、後者の場合には、例えばソレノイドの作用でフックや凸部を係止していたストッパー(92)が外れ、鍵体(7)の回転によりフックや凸部が移動してそれらと係合していた係合部との係合が解除されるものとすることができる。
【００１２】
（作用）
本発明において、錠体(70)を開錠する場合には、まず鍵挿入部(76)の所定位置まで鍵体(7)の差し込み部(7A)を挿入する。ここで、本発明における鍵体(7)の透光部(84)は、受光体(81a,81b,81c)の発光パターンと、受光体(82a,82b,82c)の受光パターンに応じて、透光部(84)を透過する受光体(81a,81b,81c)の光が受光体(82a,82b,82c)の受光パターンとなるような位置及び数だけ設けられる。具体例を挙げると、例えば３個の発光体a,b,cのうちb,cが発光するように設定された発光パターンと、３個の受光体a,b,cのうちcの受光のみを有効とするように設定された受光パターンの組み合わせがあった場合、この受発光パターンに適合する鍵体(7)の透光部(84)は、発光体cのみの光を透過可能なものである。発光体bの光は、透光部(84)が設けられていない差し込み部(7A)に遮られて受光部bには届かないので、適正な受光パターンを作り出すものである。なおこの場合、発光体aに対応する位置に透光部(84)が設けてあってもよいが、発光体aは発光しないため、当該透光部(84)の存在はこの受発光パターンとは無関係のものとなる（図１(Ｂ)参照）。
【００１３】
さて、上記したように形成された鍵体(7)を鍵挿入部(76)に挿入した状態では、発光体(81a,81b,81c)が発光する光は、光通路(75,78)と透光部(84)を透過して、受光体(82a,82b,82c)に到達する。あるいは光通路(75,78)を透過したものの差し込み部(7A)の透光部(84)以外の部分に遮られて、光が到達しない場合もある。透光部(84)を透過した光のみを検知した受光体(82a,82b,82c)は、所定の検知信号を制御部(100)に出力する。
制御部(100)では、受光体(82a,82b,82c)の受光検知パターンと、予め設定されている受光パターンとが一致しているかどうかを判定する。受光検知パターンと受光パターンとが一致している場合には、ロック解除装置(90)に作動指令を出力し、これにより錠体(70)の施錠状態が解除される。一方、受光検知パターンと受光パターンとが一致しない場合には、制御部(100)はロック解除装置(90)に作動指令を出力しないので、錠体(70)の施錠状態は解除されない。
【００１４】
このように、本発明においては、所定の発光パターンで発光する複数の発光体(81a,81b,81c)と、受光体(82a,82b,82c)との間に、鍵体(7)の透光部(84)を配置させることにより、透光部(84)を透過する光が所定の受光パターンを作り出すようにしている。さらに、受発光パターンは、透光部(84)が、少なくとも一の発光体の光を透過可能であり、かつ全ての発光体の光を透過させることのないものとなるように設定されるので、図１(Ｅ)に示すような差し込み部(7A)の中央に大きな透光部(84)を設けた鍵体(7)で開錠されることはない。
（請求項２）
請求項２記載の発明は、上記した請求項１記載の発明の特徴点に加え、次の点を特徴とする。
【００１５】
すなわち、請求項２記載の発明は、前記錠体(70)は、前記鍵挿入部(76)に挿入した鍵体(7)を回転させることにより開錠状態となるように形成されており、前記ロック解除装置(90)は、施錠時には前記鍵挿入部(76)に挿入した鍵体(7)の回転を阻止しており、前記制御部(100)の制御で作動することにより前記鍵体(7)の回転阻止を解除することを特徴とする。
本発明は、ロック解除装置(90)の態様を限定したものである。前記鍵体(7)の回転を阻止する手段としては、鍵体(7)と一体的に回転可能な錠体(70)に設けられた鍵受け部(72)を、突出ストッパー(92)により係止するものなどが挙げられる。
【００１６】
（請求項３）
請求項３記載の発明は、上記した請求項１又は２記載の発明の特徴点に加え、次の点を特徴とする。
すなわち、請求項３記載の発明は、前記制御部(100)に記憶される発光パターン及び受光パターンを変更可能に形成し、変更された発光パターン及び／又は受光パターンに応じて、当該受光パターンに適合する態様の透光部(84)を有する鍵体(7)を使い分け可能に形成したことを特徴とする。
ここで、制御部(100)に記憶される発光パターン及び受光パターンを変更する手段としては、例えば、制御部(100)に所定の受発光パターンデータを記録した記憶媒体を装着してデータを移送したり、管理用のコンピュータの端末から入力して制御部(100)に記憶されている受発光パターンデータを書き換えるようにすることができる。
【００１７】
受発光パターンが変更されると、当該発光パターンにより当該受光パターンを形成するための透光部(84)の態様も当然のことながら変わってくる。この場合、発光パターンは同一でも、受光パターンを変更すれば、透光部(84)の態様も変更される。あるいは、受光パターンは同一でも、発光パターンを変更することにより、透光部(84)の態様が変更される場合もある。
また、「受光パターンに適合する態様の透光部(84)を有する鍵体(7)」は、透光部(84)の態様がそれぞれ異なる複数の鍵体(7)を設けてもよいし、一の鍵体(7)の透光部(84)の態様が変更可能に形成されているものであってもよい。例えば、差し込み部(7A)に発光体(81a,81b,81c)の数だけ孔(85)を穿設し、この孔(85)に遮光素材からなる嵌め込み部材(87)を嵌め込んで、透光部(84)と遮光部を形成するようにし、嵌め込み部材(87)の嵌め込み位置を適宜変更することにより、透光部(84)の態様を変更可能とすることができる。
【００１８】
本発明によれば、例えば定期的に受発光パターンを変更することにより、受発光パターンの解読を困難にしてセキュリティーの向上を図ることができる。また、受発光パターンを適宜変更してそれに適合する鍵体(7)を用いるようにしてあるので、例えば鍵が盗難にあった場合でも、錠体(70)を取り換える必要は無く、制御部(100)の受発光パターン設定を変更するだけで迅速に対処でき、鍵錠交換のコストもかからない。
【発明の効果】
【００１９】
本発明によれば、扉開放ゴトを効果的に防止できるとともに、構成が容易でセキュリティー性能の高い遊技機用施錠装置を提供することができる。
【発明を実施するための最良の形態】
【００２０】
本発明の好適な実施の形態を、遊技機としてスロットマシンを例に、図面に基づき説明する。
（図面の説明）
図１乃至図１４は、本発明の実施の形態を示すものである。
図１は鍵の透光部と受発光パターンを示す概念図、図２はスロットマシンの分解斜視図、図３は前扉を外したスロットマシンの斜視図、図４乃至図９はロック機構を示す図、図１０は鍵の斜視図、図１２及び図１３はスロットマシの制御装置の入力、出力の概略を示すブロック図、図１４はスロットマシンの電源回路図である。なお、図１１は、ロック解除装置の他の例を示す断面図である。
【００２１】
（スロットマシンＳ）
本実施の形態におけるスロットマシンＳは、図２に示すように、大きく分けて、正面側に開口部11を有する筐体１、筐体１内部に設けられる交換ユニット２、筐体１の開口部11を開閉可能に塞ぐ前扉３とから構成されており、さらにこの前扉３は、筐体１の開口上部13を開閉可能に塞ぐ上扉30、筐体ユニット１の開口下部14を開閉可能に塞ぐ上扉30とから構成されている。
（筐体１）
筐体１は、底板15及び側板16,16'及び天板及び裏板からなる正面側に開口する箱であり、高さ方向略中央部には、二つの側板16,16'の間に水平方向に中板12が設けられている。この中板12の下面には、電源ユニット４が固定されているとともに、底板15にはホッパーユニット５が載置されている。
【００２２】
そして、正面左側の側板16'には、下扉40を係合させ、回転自在に支持するための筐体ヒンジ19が、上下方向に間隔をおいて二つ設けられて設けられている。さらに、筐体ヒンジ19の対向側の側板16には、下扉40を閉めた際、下扉40をロックするための係止片65が、上下方向に間隔をおいて二つ設けられている。
（交換ユニット２）
交換ユニット２は、種々の部品を設置あるいは固定するための支持体21と、この支持体21に固定されたリールユニット20及び基板ユニット24とから形成されている。
支持体21は、方形状の金属枠からなり、リールユニット20及び基板ユニット24を支持するとともに、これらを一体的に取り扱い可能とするためのものである。支持体21としては、他の構成部品を支持固定可能であってもよい。枠体21の正面左側の縦枠には、上扉30を回転自在に係合するための支持体ヒンジ25が、上下方向に間隔をおいて二つ設けられており、この支持体ヒンジ25の対向側の縦枠には、上扉30を閉めた際、上扉30をロックするための突出片55が、上下方向に間隔をおいて二つ設けられている。
【００２３】
リールユニット20は、周囲に複数の図柄を表示した複数の回転リール23と、特に図示しないが、回転リール23を回転させるための駆動モータを有している。また、基板ユニット24は、ＣＰＵを中心に構成され、ＲＯＭ、ＲＡＭ、Ｉ／Ｏ等を備えた基板を基板ケースに収納したものであり、遊技及びスロットマシンの作動を制御するための制御装置として機能する。ここで、スロットマシンＳの制御装置は、図１２に示すように、メイン基板と、メイン基板からの諸信号を受けて作動するサブ基板とから成り、メイン基板は、ベットスイッチ41A、精算スイッチ41B、スタートスイッチ41C、ストップスイッチ41D、及びメダル投入口42の下方に設けられたメダルセンサからの出力信号を入力するようになっている。そして、これらの信号に基づき、ホッパーユニット５やリールユニット20や、メダルセレクターのキャンセル装置などの作動を制御する。また、サブ基板は、ランプ（飾り部33）などの演出表示部の作動を制御するようになっている。さらに、メイン基板は、遊技場のホールコンピュータと中継基板を介して接続されており、スロットマシンＳから所定の遊技データが出力されることにより種々の管理を行うことができるようになっている。なお、基板ユニット24としては、メイン基板ユニットとサブ基板ユニットを別々に設けてもよい。
【００２４】
交換ユニット２は、筐体１の中板12の上に載置した状態で開口上部13内部に収納され、キャッチクリップなどの固定装置10により筐体１に固定される。
（上扉30）
上扉30は、交換ユニット２の支持体21に回転自在かつロック可能に形成されている板状の扉であり、図２に示すように、略中央部に回転リール23の図柄を正面側から見ることができる図柄表示窓31を有し、図柄表示窓31の周囲には、飾り部33が形成されている。飾り部33は、ランプなどの電飾としてもよい。そして、図柄表示窓31の下方には、７セグメント表示器や液晶表示装置を用いて、遊技に関する数字その他を表示するための表示部32が設けられている。
【００２５】
さらに、図３に示すように、上扉30の裏面上部には、音声を出力するためのスピーカ35が設けられているとともに、一方の側面内部には、前記支持体ヒンジ25に係合可能な上扉係合部36が上下方向に間隔をおいて二つ設けられている。さらに、上扉係合部36の対向側の側面内部には、ロック機構６が設けられている。
さらに、上扉30の下端部には、図２に示すように、下縁部に沿って垂下片34が形成されている。この垂下片34は、特に図示しないが、前扉３を閉じたときに、正面側から上扉30の下端と下扉40の上端との間に隙間を生じさせないためのものである。すなわち、下扉40を閉じたとき、垂下片34を前方から下扉40の裏面が押さえ、垂下片34と下扉40の裏面が重なるようにして、隙間から針金等の異物を挿入できないようにしているのである。
【００２６】
そして、上扉30は、交換ユニット２を収納固定した状態でロックすることにより、筐体１の開口上部13を密閉する。
（下扉40）
下扉40は、筐体１の開口下部14を塞ぐための、上扉30よりも幅厚の扉であり、筐体１の側板16'に回転自在かつロック可能に形成されているものである。下扉40の上部は、スロットマシンを作動させるための操作部41となっており、下扉40の上面は、閉扉時においては、上扉30よりも前側に突出するようになっている。
ここで、前記操作部41としては、図２に示すように、遊技メダルを投入するためのメダル投入口42、貯留メダル数を減じてメダル投入に代えるためのベットスイッチ41A、貯留した投入メダルを払い出すための精算スイッチ41B、回転リール20の回転を開始させるためのスタートスイッチ41C、回転リール20の回転を停止させるためのストップスイッチ41Dが設けられている。また、下扉40の下部には払い出されたメダルを溜めておくためのメダル受け皿43が形成されている。
【００２７】
下扉40の上部右端には、鍵穴44が設けられており、所定の鍵を差し込むことにより、下扉40のロックが解除されるようになっているが、この詳細については後述する。
さらに、図３に示すように、下扉40の裏面側には、前記メダル投入口42から投入されたメダルを誘導しながらメダルの正偽を判断するためのメダルセレクター45が設けられている。また、下扉40の一方の側面内部には、筐体ヒンジ19と係合可能な下扉係合部46が上下方向に間隔をおいて二つ設けられており、下扉係合部46の対向側の側面板40Aの内部には、ロック機構６が設けられている。
（ロック機構６）
次に、ロック機構６について詳述する。ロック機構６は、図３に示すように、上扉ロック機構50と、下扉ロック機構60とから構成されている。
【００２８】
（上扉ロック機構50）
上扉ロック機構50は、図４に示すように、上扉30の側面板の内側に上下方向に移動可能に固定された可動板51と、この可動板51の背面側に設けられ、背面側に向かって突出する鉤状のフック52と、前記可動板51を上方向に付勢するバネ53を有している。そして、前記フック52を、支持体21に設けられた突出片55に係止させることにより、上扉30をロックするものである。
すなわち、上扉ロック機構50は、上扉30閉めると、フック52の斜辺が突出片55に当接して可動板51が下方に押し下げられた後、バネ53の力で元の位置に復帰して自動的にフック52が突出片55に係止されるようになっており、ロックを解除する場合には、可動板51の下端部から下方に突出する解除つまみ54を引き下げることにより可動板51を下方に移動させ、フック52と突出片55との係合が解除されるようになっている。解除つまみ54は、上扉30の下方奥側に位置しているので、下扉40を開放しないと操作できない。つまり、上扉30は下扉40を開錠しないと開くことができないようになっているものである。
【００２９】
（下扉ロック機構60）
下扉ロック機構60は、上扉ロック機構50と基本的には同様である。すなわち、図５に示すように、下扉40の側面板の内側に上下方向に移動可能に固定された可動板61と、この可動板61の背面側に設けられ、背面側に向かって突出する鉤状のフック62と、前記可動板61を上方向に付勢するバネ63を有している。そして、前記フック62を、筐体１に設けられた突出片65に係止させることにより、下扉40をロックするものである。
ただ、下扉ロック機構40は、鍵穴44に所定の鍵を差し込んで回すことにより、開錠できるようになっている。すなわち、鍵穴44の内側には、鍵の回転によりフック62と突出片65の係合を解除させるためのシリンダー錠70と、鍵穴44に挿入された鍵が正しい鍵かどうかを検知する鍵センサ80と、鍵センサ80が正常な鍵を検知した場合にシリンダー錠70内に挿入された鍵の回転を許容するためのロック解除装置90とが設けられている。
【００３０】
（シリンダー錠70）
シリンダー錠70は、図９に示すように、円柱形の錠鍵装置であり、円筒形の外筒71と、外筒71の前部側（下扉40の正面側。以下同じ）内部に収納された鍵受け部72と、外筒71の後方側（下扉40の背面側。以下同じ）に設けられた回転板74を有している。
前記外筒71は、下扉40の背面板などに固定された中空の筒体であり、前部側の側壁には、中空部を挟んで相対向する透光スリット75が形成されている。また、後部側の上部には、ロック解除装置90が取り付けられている。
前記鍵受け部72は、外筒71の中空部に嵌入された円柱体であり、外筒71の内面に沿って正面視左右方向に回転可能に固定されている。そして、鍵受け部72には、図６及び図８に示すように、正面側に開口する長方形状の鍵挿入孔76が形成されており、この鍵挿入孔76の形成する空間が鍵穴44となる。なお、鍵受け部72は、施錠状態において、鍵挿入孔76が正面視縦長四角形となるように設定されている。そして、鍵挿入孔76に、板状の鍵７（図１０参照）を挿入し、鍵センサ80により適正な鍵であると判断された場合には、鍵７を回転させることにより、鍵受け部72が外筒71内部で回転するようになっている。
【００３１】
また、鍵受け部72の前部側には、図６及び図８に示すように、長四角形の鍵挿入孔76の長辺が成す内壁面76aと直交して貫通する透光開口78が形成されている。すなわち、透光開口78は、鍵受け部72が施錠状態の位置にあるとき、前記外筒71の透光スリット75と合致して、透光スリット75の一方側から他方側に貫通し鍵挿入孔76の鍵挿入方向と直交する光通路を形成するものである。
さらに、鍵受け部72の後部側には、図８に示すように、前記透光開口78の直交方向の表面に、長方形状の溝77が設けられている。溝77は、図６に示すように、鍵受け部72の直径の約三分の一程度の深さを有しており、この中にロック解除装置90のストッパー92が突出することにより、鍵受け部72の回転が阻止されるようになっているものである。
【００３２】
そして、鍵受け部72の後方端部には、軸73により連結された回転板74が取り付けられている。回転板74は、図９に示すように、突起74aを有する変形カム型の板部材であり、シリンダー錠70は、前記突起74aが扉ロック機構60の可動板61上部に形成された開口部64と係合するように配置される。そして、鍵受け部72の回転により、前記突起74aが上下に位置移動するように形成されている。具体的には、施錠状態においては、突起74aは開口部64の空間内に位置しており、所定の開錠条件を満たして鍵受け部72を正面右側に回転させると、突起74aが下側に位置移動し、開口部64の下端に当接して可動板61を押し下げ、フック62と突出片65との係合が解除されるものである。
【００３３】
（鍵センサ80）
鍵センサ80は、シリンダー錠70の外筒71の側方に設けられた光センサであり、鍵挿入孔76に挿入された鍵７が適正なものであるかどうかを検知するためのものである。そして、鍵センサ80は、図９に示すように、プリント基板83に発光素子81a,81b,81cを取り付けて成る発光部81と、同様にプリント基板83に受光素子82a,82b,82cを取り付けて成る受光部82を有している。発光部81と受光部82は、図８に示すように、外筒71の透光スリット75の外側に設置され、施錠状態、すなわち鍵受け部72の透光開口78が透光スリット75と合致している状態で、受光素子82a,82b,82cの発光を受光素子82a,82b,82cが受光可能に形成されている。
【００３４】
また、前記発光部81は、施錠状態において、予め設定された発光パターンに応じて、いずれか一つ、又は二つ、又は全ての発光素子81a,81b,81cが発光するようになっている。そして、前記受光部82は、前記発光部81からの光を受光した場合に、鍵挿入孔76に鍵７が挿入された状態で、予め設定された受光パターンに応じて、受光素子82a,82b,82cのうちいずれか一つ、又は二つが前記発光体81からの光を受光した場合に、所定の検知信号を出力するようになっている。例えば、受光素子82a,82cの二つが受光した場合には受光素子82a,82cの検知信号を出力する。そして、受光部82が受光パターンに基づく適正な検知信号を出力することにより、以下に述べるロック解除装置90が作動して、シリンダー錠70の鍵受け部72が回転可能となるものである。
【００３５】
ここで、シリンダー錠70に用いられる鍵７は、図１０に示すように、鍵挿入孔76に挿入される板状の差し込み部7Aに、透光部84が設けてある。透光部84は、図１０（Ａ）に示すような孔85であってもよいし、図１０（Ｂ）に示すような切り欠き86であってもよい。この透光部84は、鍵７を鍵挿入孔76に挿入したときに、発光素子81a,81b,81cの発光する光が通過可能となる位置に設けてあるが、発光素子81a,81b,81cのうち少なくとも１つについては、対応する透光部84が設けられていない。すなわち、透光部84は、全ての発光素子81a,81b,81cの発する光が同時に通過することがないように形成されている。例えば、図１０（Ａ）の透光部84は、発光素子81a,81cに対応して設けてあり、すべての発光素子81a,81b,81cが発光していても、受光部82には発光素子81a,81cの光しか届かない。また、図１０（Ｂ）の透光部84は、発光素子81a,81bに対応して設けてあり、すべての発光素子81a,81b,81cが発光していても、受光部82には発光素子81a,81bの光しか届かない。
【００３６】
そして、発光部81の発光パターンと、受光部82の受光パターンは、一致しないように設定されている。すなわち、発光部81の発光が、鍵挿入孔76に挿入された鍵７の透光部84を通過するだけでなく、鍵７の透光部84でない箇所に遮蔽されることにより、所定の受光パターンを形成する。つまり、透光部84の設置数及び設置位置は、発光部81の発光パターン及び受光部82の受光パターンに応じて設定されることとなるが、この詳細については後述する。
ところで、鍵７を、図１０（Ｃ）に示すように、差し込み部7Aに形成した孔85に嵌め込み部材87を嵌め込んだものとしてもよい。孔85は、すべての発光素子81a,81b,81cに対応して設けてある。嵌め込み部材87としては、透明素材から成る透光部材87aと、不透明素材から成る遮光部材87bが設けてある。そして、透光部材87aを嵌め込んだ孔85が透光部84となる。このように形成すれば、発光素子81a,81b,81cに対応する孔85のうち、どれに透光部材87aを嵌め込み、どれに遮光部材87bを嵌め込むかにより、単一の鍵７で複数種類の透光部84の態様を作り出すことができる。なお、透光部材87aを設けずに、透光部84は孔85とし、透光部84にしたくないところにだけ遮光部材87bを嵌め込むようにしてもよい。
【００３７】
（ロック解除装置90）
ロック解除装置90は、施錠状態においてはシリンダー錠70の鍵受け部72の回転を阻止しているとともに、前記鍵センサ80が適正な検知信号を出力した場合には、鍵受け部72の阻止状態を解除して、鍵受け部72、ひいては回転板74を回転可能にし、下扉40のロックが解除されるのを許可するためのものである。
具体的には、ロック解除装置90は、図６及び図７に示すように、外筒71の上側後端部に固定されたケースに収納され、外筒71に形成された貫通孔79を通して下方に向かって突出する板状のストッパー92と、ストッパー92を押し下げる方向に付勢するバネ93と、ケース内の上部及びストッパー92の上部に固定された電磁石91とを有している。前記ストッパー92は、鍵受け部72に形成された溝77に嵌入可能な形状を有しており、前記電磁石91は、通電状態になると互いに引き合う方向に磁力が発生し、バネ93の付勢力よりも強い力でストッパー92を上方に引き上げるようになっている。
【００３８】
そして、施錠時には、ロック解除装置90は非通電状態であり、バネ93に押圧されたストッパー92が溝77に嵌り込んでいるので、鍵受け部72は回転することができない。一方、前記鍵センサ80が適正な検知信号を出力した場合には、ロック解除装置90は通電状態となり、電磁石91の吸着力によりストッパー92が上方に引き上げられ、ストッパー92と溝77との係合が外れて、鍵受け部72が回転可能となる。すなわち、鍵挿入孔76に適正でない鍵７を挿入した場合には鍵センサ80が適正な検知信号を出力しないので、鍵７を回転させることができないが、適正な鍵７を挿入した場合には鍵センサ80が適正な検知信号を出力するので、鍵７を回転させて下扉40のロックを解除することができるようになる。
【００３９】
なお、上記したロック解除装置90は、ソレノイドによりストッパー92を突出させるようにしているが、ストッパー92を作動させるための駆動源としてモータを用いてもよい。例えば、特に図示しないが、モータにより回転するギヤとストッパー92に設けたラックとの噛み合いによりストッパー92が移動するものや、モータ軸の先端に設けた嘴状突起を鍵受け部72の外周に形成した切り欠きに係止させるものであってもよい。
（ロック制御装置100）
ロック制御装置100は、前記ロック解除装置90の作動を制御するためのものであり、特に図示しないが、スロットマシンＳの制御装置とは別に設けられた制御基板である。そして、ロック制御装置100は、図１３に示すように、発光制御手段110と判定手段120を有しており、受光部82及び発光パターン変更手段130からの信号を受信して、発光部81及びロック解除手段90に所定の信号を出力するように形成されている。
【００４０】
発光制御手段110は、発光部81を所定の発光パターンで発光させるためのものであり、判定手段120は、受光部82から所定の受光素子が受光した検知信号を受信して、ロック解除装置90を作動させるためのものである。
また、発光パターン変更手段130とは、特に図示しないが、発光部81の発光パターンデータ及び受光部82の受光パターンデータからなる受発光パターンデータを外部入力可能な手段であって、例えばホールコンピュータ（図１２参照）の端末からデータ入力可能に形成することができる。あるいは、ロック制御装置100（基板）に設けられた専用スロットに挿入可能な、メモリーカードのような記録媒体であってもよい。そして、この発光パターン変更手段130により変更された発光パターンデータを、発光制御手段110が読み込むことにより、所定のパターンで発光素子81a,81b,81cを発光させることとなる。また、発光パターン変更手段130により変更された受光パターンデータを、前記判定手段120が読み込むことにより、当該受光パターンデータと、受光素子82a,82b,82cが受光した受光検知パターンデータ（受光部82からの検知信号）が一致するかどうかを判定することとなる。
【００４１】
さらに、発光制御手段110は、鍵挿入孔76に鍵７が最奥まで挿入された場合に、鍵センサ80が作動するように形成されている。これは、特に図示しないが、鍵挿入孔76の奥部に鍵７の先端を検知する検知部が設けてあり、この検知部が鍵７を検知した場合に、発光部81及び受光部82が通電状態となるようになっているものである。このように形成することにより、発光素子が常時発光しているということがなく省エネに役立つと共に、鍵７の先端部だけを鍵挿入孔76に挿入したり、鍵以外のものを鍵挿入孔76に挿入することで、所定の受光パターンが擬似的に作り出されるのを防止することができる。すなわち、予め定められた形状の鍵７を奥方向に所定の位置まで挿入しない限り、鍵センサ80が働かないので、ロックを解除することができない。なお、鍵７の検知に基づく発光部81の発光は、所定時間（例えば数秒）のみとしてもよい。このように形成すれば、時間をかけてのピッキングが不可能となる。
【００４２】
ところで、鍵センサ80、ロック解除装置90、上記ロック制御装置100は、図１４に示すように、スロットマシンＳの電源装置とは別に、外部電源に接続された無停電電源装置に接続されている。外部電源及び無停電電源装置は、スロットマシンＳの設置される遊技場の島設備に配置されている。そして、スロットマシンＳの主電源がＯＦＦになっているときでも、外部電源がＯＦＦのときでも、鍵センサ80、ロック解除装置90、ロック制御装置100は作動するようになっているものである。
（受発光パターン及び鍵７の透光部84の設定）
ここで、発光体81がいずれの発光素子81a,81b,81cを発光させるかを定めた発光パターンと、受光素子82a,82b,82cのいずれが受光するかを定めた受光パターン、及び受発光パターンに対応する鍵７の透光部84の設定の具体例を、図１に基づき説明する。なお、図中、白丸及び白四角は発光素子の非発光及び受光素子の非受光を表し、黒丸及び黒四角は発光素子の発光及び受光素子の受光を表しているものである。
【００４３】
まず、発光素子81a,81b,81cが発光する発光パターンと、受光素子82a,82cが受光する受光パターンに設定した場合について説明する。この場合には、図１（Ａ）に示すように、発光素子81a及び81cに対応した透光部84を設けた鍵７を、鍵挿入孔76に奥まで挿入することにより、発光素子81a及び81cの発光が透光部84を通過するとともに発光素子81bの発光を鍵７が遮断し、適正な受光パターンが発生する。受光部82は受光素子82a,82cの検知信号を出力し、これに基づいて、ロック解除装置90が作動する。
一方、上記のように設定してある場合に、例えば図１（Ｃ）に示すような、透光部84の形成されていない鍵７を鍵挿入孔76に挿入しても、発光素子81a,81b,81cの発光をすべて鍵７が遮断し、受光素子82a,82b,82cはいずれも受光できない。受光部82はいずれの検知信号も出力することがなく、このような不適正な検知態様によっては、ロック解除装置90は作動しない。逆に、図１（Ｅ）に示すような、楕円形の大きな透光部84の形成された鍵７を鍵挿入孔76に挿入した場合には、透光部84が発光素子81a,81b,81cの発光をすべて通過させて、受光素子82a,82b,82cのすべてが受光する。受光部82は受光素子82a,82b,82cの検知信号を出力するが、このような不適正な検知信号によっては、ロック解除装置90は作動しない。
【００４４】
次に、発光素子81b,81cが発光する発光パターンと、受光素子82cが受光する受光パターンに設定した場合について説明する。この場合は、図１（Ｂ）に示すように、発光素子81a及び81cに対応した透光部84を設けた鍵７を、鍵挿入孔76に奥まで挿入することにより、発光素子81cの発光が透光部84を通過するとともに発光素子81bの発光を鍵７が遮断し、適正な受光パターンが発生する。受光部82は受光素子82cの検知信号を出力し、これに基づいて、ロック解除装置90が作動する。
一方、上記のように設定してある場合に、例えば図１（Ｄ）に示すような、発光素子81a及び81bに対応した透光部84を設けた鍵７を鍵挿入孔76に挿入しても、発光素子81bの発光が透光部84を通過するとともに発光素子81cの発光を鍵７が遮断する。受光部82は受光素子82bの検知信号を出力するが、このような不適正な検知信号によっては、ロック解除装置90は作動しない。逆に、図１（Ｆ）に示すような、楕円形の大きな透光部84の形成された鍵７を鍵挿入孔76に挿入した場合には、透光部84が発光素子81b,81cの発光を通過させて、受光素子82b,82cが受光する。受光部82は受光素子82b,82cの検知信号を出力するが、このような不適正な検知信号によっては、ロック解除装置90は作動しない。
【００４５】
このように、発光させる発光素子を決定することにより、複数の異なる発光パターンを設定することができ、受光が有効となる受光素子を決定することにより、複数の異なる発光パターンを設定することができる。そして、設定された発光パターンで設定された受光パターンを実現させるべく、鍵７の透光部84の態様を決定することになる。
ただし、発光パターンと受光パターンを一致させると、図１（Ｅ）（Ｆ）に示すような鍵７を使用された場合には、如何なる受発光パターンでもロックが解除されてしまうので、そのような設定は避けることとする。つまり、例えば発光素子81a,81b,81cが発光する発光パターンと、受光素子82a,81b,82cが受光する受光パターンの組み合わせや、発光素子81aが発光する発光パターンと、受光素子82aが受光する受光パターンの組み合わせは、不適切である。
【００４６】
ここで、図１（Ａ）及び（Ｂ）に図示した場合には、透光部84の態様が同一の鍵７を用いるこことができるが、発光パターン、受光パターンによっては透光部84を異なる態様にする必要がある。従って、複数の受発光パターンデータとそれに対応する鍵７を用意しておけば、鍵７が盗難にあった場合であっても、発光パターン変更手段130によりロック制御装置100に異なる受発光パターンデータを入力させることにより、錠の取り替えなど行わずに迅速に対処できる。また、例えば日替わりで、受発光パターンをランダムに変更することにより、受発光パターンの解読が困難になり、セキュリティアップを図ることができる。
【００４７】
なお、本実施の形態においては、発光素子、受光素子を３個ずつ設けたが、この数を増やすことで、より多くの異なる受発光パターンを作り出すことができる。このような場合には、受発光パターンに対応する透光部84の態様がそれぞれ異なる鍵７が大量に必要となるので、透光部84を図１０（Ｃ）に示すような嵌め込み式にすると好適である。
（下扉40の開錠）
以上のような構成を有する下扉ロック機構60の開錠について説明する。
まず、施錠状態においては、図５に示すように、フック62が突出片65に係止されており、このとき回転板74の突起74aは可動板61の開口部64の中程に位置している。また、ロック解除装置90は、図６に示すように、ストッパー92を突出させて、鍵受け部72の回転を阻止している。
【００４８】
次に、鍵挿入孔76に所定の鍵７を挿入し、鍵挿入孔76の奥端部に設けられた鍵検知部が鍵７の挿入を検知すると、鍵センサ80がＯＮとなる。すなわち、発光部81が所定の発光パターンで発光素子を発光させる。発光部81からの光は、外筒71の透光スリット75及び鍵受け部72の透光開口78、及び鍵７の透光部84を通過して受光部82に到達する。受光部82は、受光素子が受光した検知信号をロック制御装置100に出力する。検知信号を受けた判定手段120は、受光信号が所定の受光パターンと一致していた場合には、ロック解除装置90を通電状態にする。
ロック解除装置90が通電することにより、電磁石91が励磁してストッパー92が鍵受け部72の溝77から抜け出て、鍵受け部72が回転可能となる。そこで、鍵７を、図９の例に因れば右方向に回転させることにより、回転板74が回転し、突起74aが開口部64と係合して可動板61を下方に押し下げる。これにより、フック62と突出片65との係合が外れ、下扉40を開放することができるようになる。なお、鍵受け部72が回転することにより、透光スリット75と透光開口78の位置がずれるので、発光部81の発光は受光部82に届かなくなる。このため、ロック解除装置90は非通電状態となって、ストッパー92が突出するが、鍵受け部72の回転により溝77の位置もずれているので、ストッパー92は鍵受け部72の表面で停止する。このとき、鍵穴44から鍵７を抜いても、差し込んだままにしておいても、状況は変わらない。
【００４９】
そして、前記した、鍵受け部72を回転させた状態から下扉40を施錠する場合には、まず鍵穴44に鍵を差し込み、鍵受け部72を元の位置に戻すように回転させる。この場合には、鍵センサ80がＯＮにならなくてもよいので、鍵挿入孔76の奥端部に設けられた鍵検知部に鍵７の挿入を必ずしも検知させる必要はない。つまり、鍵受け部72が回転する程度に、鍵挿入孔76に鍵７を差し込めばよい。そして、鍵受け部72が元の位置に戻ると、位置がずれていた溝77がストッパー92の下方に位置し、ストッパー92はバネ93の付勢力により溝77内に突出する。これにより、再び鍵受け部72は回転阻止状態となる。なお、鍵受け部72を元の位置に戻す際、鍵センサ80をＯＮにした場合でも、鍵穴44の方向を元の位置、すなわち鍵挿入孔76が縦長四角となる位置に戻してから鍵７を引き抜くことにより、鍵センサ80がＯＦＦになってロック解除装置90は非通電状態となり、ストッパー92が溝77に突出する。
【００５０】
以上のように、鍵受け部72を回転阻止状態にしてシリンダー錠70をロックしたうえで、下扉40を閉じると、フック62の斜辺とバネ63の付勢力により可動板61が上下動し、フック62と突出片65とが係合して自動的にロック状態となる。なおこのとき、回転板74の突起74aは、開口部64のほぼ中間に位置しているので、可動板61の下方向への移動には干渉されない。
（ロック解除装置90の他の例）
ところで、上述した実施の形態では、上記したロック解除装置90は、シリンダー錠70の鍵受け部72の回転を阻止することで施錠状態を保ち、適正な鍵７の挿入が検知された場合には鍵受け部72の回転を許容する禁止解除手段として位置づけられていたが、シリンダー錠70を、鍵７の回転によらず回転板74が回転するように形成し、ロック解除装置90が能動的に開錠を行う解除手段として機能するように形成してもよい。すなわち、適正な鍵７を鍵穴44に入れさえすれば、鍵受け部72を回転させなくても、自動的に開錠されるようにしてもよいものである。
【００５１】
具体的には、図１１に示すように、鍵受け部72の後部側にモータ94を埋設し、このモータ94のモータ軸を軸73に連結して、モータ94の駆動を直接回転板74に伝えるようにしたものとすることができる。モータ94は、施錠状態すなわち所定の鍵７を鍵挿入孔76に挿入していない場合においては、回転板74を可動板61の開口部64と係合しない位置とさせて駆動停止している。そして、鍵センサ80が適正な鍵を検知した場合に駆動開始し、回転板74を所定角度回転させることにより駆動停止する。これにより回転板74の突起74aが可動板61を押し下げて、フック62と突出片65との係合を解除させる。なお、鍵７を鍵挿入孔76に挿入したままの状態では、モータ94は駆動せず、鍵７を鍵挿入孔76から引き抜いて鍵センサ80の検知信号出力が停止した場合には、今度は逆回転して、回転板74を施錠時の位置まで回転させる。
【００５２】
このロック解除装置90を有する下扉40の開錠を行う場合には、鍵穴44に所定の鍵７を差し込むことで鍵センサ80が作動して鍵を検知し、モータ94が駆動して回転板74を回転させ、フック62と突出片65との係合が外れ、扉を開くことができるようになる。一方、下扉40の施錠を行う場合には、鍵穴44に鍵７を差し込んだまま下扉40を閉め、そこで鍵７を鍵穴44から抜き取ると、モータ94が反転駆動して回転板74を逆回転させ、可動板61がバネ63により上方に移動してフック62と突出片65とが係合し、扉がロック状態になる。
なお、本実施の形態では、下扉40にシリンダー錠70を設けて鍵７により開錠し、下扉40が開放されることにより上扉30を開錠することができるように形成してあったが、上扉30にも上記シリンダー錠70と同様の錠を設けて、下扉40とは別々に施錠及び開錠が行えるようにしてもよい。また、ロック機構６は、上記実施の形態に記載したものに限られず、ロック解除装置90の作動により扉が開放される仕組みであれば、どのような構成であっても構わない。例えば、筐体１の側板16の内側に設けられた凹部に凸部を突出させて施錠状態とするとともに、ロック解除装置90の作動により、前記凸部が凹部から抜け出るように形成されているものであってもよい。
【００５３】
さらに、本発明は、前扉３が一枚扉であるスロットマシンや、スロットマシン以外の遊技機にも利用することができるのは言うまでもない。
【図面の簡単な説明】
【００５４】
【図１】本発明の実施の形態であって、鍵の透光部と受発光パターンを示す概念図である。
【図２】本発明の実施の形態であって、スロットマシンの分解斜視図である。
【図３】本発明の実施の形態であって、前扉を外したスロットマシンの斜視図である。
【図４】本発明の実施の形態であって、上扉ロック機構の概略を示す側面図である。
【図５】本発明の実施の形態であって、下扉ロック機構の概略を示す側面図である。
【図６】本発明の実施の形態であって、シリンダー錠の縦断面図である。
【図７】図６のＡ−Ａ線断面図である。
【図８】本発明の実施の形態であって、シリンダー錠の横断面図である。
【図９】本発明の実施の形態であって、シリンダー錠の斜視図である。
【図１０】本発明の実施の形態であって、鍵の斜視図である。
【図１１】本発明の他の実施の形態であって、ロック解除装置の縦断面図である。
【図１２】本発明の実施の形態であって、スロットマシンの制御装置の入力及び出力を示すブロック図である。
【図１３】本発明の実施の形態であって、ロック制御装置の入力及び出力を示すブロック図である。
【図１４】本発明の実施の形態であって、スロットマシンの電源回路を示す概略図である。
【符号の説明】
【００５５】
Ｓ  スロットマシン                  １  筐体
２  交換ユニット                    ３  前扉
４  電源ユニット                    ５  ホッパーユニット
６  ロック機構                      ７  鍵（鍵体）
7A  差し込み部
10  固定装置                        11  開口部
12  中板                            13  開口上部
14  開口下部                        15  底板
16  側板                            19  筐体ヒンジ
20  リールユニット                  21  支持体
23  回転リール                      24  基板ユニット（制御装置）
25  支持体ヒンジ
30  上扉                            31  図柄表示窓
32  表示部                          33  飾り部
34  垂下片                          35  スピーカ
36  上扉係合部
40  下扉                            41  操作部
42  メダル投入口                    43  メダル受け皿
44  鍵穴                            45  メダルセレクター
46  下扉係合部
50  上扉ロック機構                  51  可動板
52  フック                          53  バネ
54  解錠つまみ                      55  突出片
60  下扉ロック機構                  61  可動板
62  フック                          63  バネ
64  開口部                          65  突出片
70  シリンダー錠（錠体）            71  外筒
72  鍵受け部                        73  軸
74  回転                            75  透光スリット（光通路）
76  鍵挿入孔（鍵挿入部）            77  溝
78  透光開口（光通路）              79  貫通孔
80  鍵センサ                        81  発光部
81a,81b,81c  発光素子（発光体）     82  受光部
82a,82b,82c  受光素子（受光体）     83  プリント基板
84  透光部                          85  孔
86  切り欠き                        87  嵌め込み部材
90  ロック解除装置                  91  電磁石
92  ストッパー                      93  バネ
94  モータ
100  ロック制御装置（制御部）       110  発光制御手段
120  判定手段                       130  発光パターン変更手段
【図１】
2006212237.tif 000003
【図２】
2006212237.tif 000004
【図３】
2006212237.tif 000005
【図４】
2006212237.tif 000006
【図５】
2006212237.tif 000007
【図６】
2006212237.tif 000008
【図７】
2006212237.tif 000009
【図８】
2006212237.tif 000010
【図９】
2006212237.tif 000011
【図１０】
2006212237.tif 000012
【図１１】
2006212237.tif 000013
【図１２】
2006212237.tif 000014
【図１３】
2006212237.tif 000015
【図１４】
2006212237.tif 000016